(57)【要約】【課題】電力機器等に作られた蜂の巣を、簡単かつ確実に除去することが可能なシンプルな構造の蜂の巣除去装置を提供すること。【解決手段】所定の長さを有する棒状部材１２と、棒状部材１２の先端部に所定の角度を為して取り付けられた輪状部材１６と、輪状部材１６の下側に設けられ輪状部材１６の輪の内側方向へ突出するフック部１６ａと、蜂を捕獲可能な上部開口の袋網１８と、袋網１８の開口縁部に挿通され、袋網１８を輪状部材１６に装着するためにフック部１６ａに係止されるワイヤ２０と、輪状部材１６に設けられ刃先が輪状部材１６の輪の内側方向に向いて刃部１４と、を有し、ワイヤ２０は、一端が棒状部材１６に設けられたワイヤ止め部２２に固定され、他端は引張動作可能に棒状部材１６に沿って下方へ伸長している。【選択図】図１
2012060926.tif 000002
【特許請求の範囲】
【請求項１】
所定の長さを有する棒状部材と、
該棒状部材の先端部に所定の角度を為して取り付けられた輪状部材と、
該輪状部材の下側に設けられ該輪状部材の輪の内側方向へ突出するフック部と、
蜂を捕獲可能な上部開口の袋網と、
該袋網の開口縁部に挿通され、該袋網を前記輪状部材に装着するために前記フック部に係止されるワイヤと、
前記輪状部材に設けられ刃先が該輪状部材の輪の内側方向を向いている刃部と、を有し、
前記ワイヤは、一端が前記棒状部材に設けられたワイヤ止め部に固定され、他端は引張動作可能に前記棒状部材に沿って下方へ伸長していることを特徴とする蜂の巣除去装置。
【請求項２】
前記刃部は、前記輪状部材の前記棒状部材側であって該輪状部材に沿って略三日月状に設けられていることを特徴とする請求項１に記載の蜂の巣除去装置。
【請求項３】
前記棒状部材の後端部付近には、ワイヤ巻取機が設けられていることを特徴とする請求項１又は２の何れか１項に記載の蜂の巣除去装置。
【発明の詳細な説明】
【技術分野】
【０００１】
本発明は、蜂の巣除去装置、特に所定の高さに作られた鉢の巣を、地上での操作又は巣から離れて操作することにより蜂の巣を取り除く蜂の巣除去装置に関する。
【背景技術】
【０００２】
蜂は、家屋の軒下や外壁面、加えて樹木や鉄塔、野外の設置した電力機器等、至る所に巣を作り、近づく人畜を攻撃することがある。蜂は、一般に人畜があまり近づかない場所に巣を作るが、電力関連の作業者が定期的に点検することが必要な野外設置の電力機器等に巣を作っている場合には問題が生ずる。すなわち、作業者が点検すべき電力機器等に近づくことができず、点検を円滑に行うことができないからである。
【０００３】
蜂が巣を作っている電力機器等を定期点検する場合、緊急でないときは点検日を蜂の活動が収まる冬季に変更して行うことができる。冬季であれば、蜂は活動を終え巣から飛び立っており、作業者は点検すべき電力機器等に容易に近づくことが可能である。しかし、点検日を変更できない場合には、電力機器等に近づくために、まず蜂の巣を取り除く必要がある。蜂の巣を取り除くことが難しい場合は、作業者は防護服を着用して点検を行なわねばならず、その場合の点検作業は容易ではない。
【０００４】
蜂の巣を取り除く作業は、一般に防護服を着用して行われ、蜂の巣に薬品を塗布して蜂を殺してから蜂の巣を取り除いたり、或いは長い棒の先端に布を巻き付けてそれに火を付けて火力で蜂を殺したり逃がしてから蜂の巣を取り除くことが行われている。このような作業は非常に厄介である。然も、野外に設置された点検すべき電力機器等又はその近くに作られた蜂の巣は、巣の地上からの高さが比較的高い位置にあるので、ますます除去作業は容易ではない。
【０００５】
スズメ蜂の巣とこれに寄生するスズメ蜂を一網打尽に採取する営巣採取器が特許文献１に開示されている。開示されているスズメ蜂の営巣採取器は、袋網と、角度調整部と、ポールと、により構成され、袋網は、スズメ蜂が容易に逃げ出さない程度の網目を有するビニール製網と、ビニール製網の網目に通挿され、採取器外から引張り操作によって袋網の手繰り上げを可能にするワイヤと、袋網ビニール製網の開口側をクリップ止めするためのアルミ製口輪と、から構成される。
【先行技術文献】
【特許文献】
【０００６】
【特許文献１】実用新案登録第３１５３１４９号公報
【発明の概要】
【発明が解決しようとする課題】
【０００７】
特許文献１の営巣採取器は、袋網の手繰り上げを可能にするワイヤの取り付け構造及び袋網とアルミ製口輪の取り付け構造等が不明であり、どのように袋網が手繰り上げられるのか不明であるが、以下のように動作するものと考えられる。すなわち、ワイヤの引張り操作によって、アルミ製口輪から開口側がクリップ止めされた袋網が外れ、更に引張り動作によってワイヤにより蜂の巣が絞り取られるものと考えられる。しかし、蜂の巣が大型である場合には、ワイヤによる袋網の手繰り上げは難しく、そのような大型の蜂の巣を除去することが難しい。
【０００８】
本発明は、これらの課題を解決するために為されたものであり、その目的は、電力機器等に作られた蜂の巣を、簡単かつ確実に除去することが可能なシンプルな構造に蜂の巣除去装置を提供することにある。
【課題を解決するための手段】
【０００９】
上記の目的を達成するため、請求項１に記載の蜂の巣除去装置は、
所定の長さを有する棒状部材と、該棒状部材の先端部に所定の角度を為して取り付けられた輪状部材と、該輪状部材の下側に設けられ該輪状部材の輪の内側方向へ突出するフック部と、蜂を捕獲可能な上部開口の袋網と、該袋網の開口縁部に挿通され、該袋網を前記輪状部材に装着するために前記フック部に係止されるワイヤと、前記輪状部材に設けられ刃先が該輪状部材の輪の内側方向を向いている刃部と、を有し、前記ワイヤは、一端が前記棒状部材に設けられたワイヤ止め部に固定され、他端は引張動作可能に前記棒状部材に沿って下方へ伸長していることを特徴とする。
【００１０】
この構成により、袋網は開口縁部にワイヤが挿通され、そのワイヤは輪状部材に設けられ、その内側方向に突出するフック部に掛けられる。したがって、ワイヤを引張動作すると、袋網の開口部が絞まりつつ内側へ移動してフック部から外れ係止状態が解除される。更に引張動作することで、袋網の開口部を完全に絞って閉じることができる。したがって、蜂の巣除去装置の袋網を蜂の巣に被せ、輪状部材に設けられた刃部により蜂の巣の基部に切り込みを入れ、ワイヤを引張動作するとワイヤがフック部から外れ、ワイヤは蜂の巣の切り込みを入れた部分に食い込んで行く。そして、更にワイヤを引張動作すると最終的に蜂の巣を基部の部分にて切断する（絞り切る）ことができる。このようにして切断した蜂の巣は袋網に収納される。作業中、蜂の巣に袋網が被せられたままなので、蜂を取り逃がすことが防止される。したがって、電力機器等に作られた蜂の巣を、シンプルな構造で簡単かつ確実に除去することが可能であり、その後迅速に電力機器等の点検作業に入れることとなる。
【００１１】
請求項２に記載の蜂の巣除去装置は、請求項１に記載の蜂の巣除去装置において、
前記刃部は、前記輪状部材の前記棒状部材側であって該輪状部材に沿って略三日月状に設けられていることを特徴とする。したがって、蜂の巣の基部に切り込みを入れる場合に、刃部が三日月状であるので切り込みが入れ易く、蜂の巣の基部の全周に入れる場合も、棒状部材を把持しながら刃部を蜂の巣の周りに周回させれば良いので容易に入れることが可能である。
【００１２】
請求項３に記載の蜂の巣除去装置は、請求項１又は２の何れか１項に記載の蜂の巣除去装置において、
前記棒状部材の後端部付近には、ワイヤ巻取機が設けられていることを特徴とする。したがって、ワイヤの引張動作を容易にし、蜂の巣を迅速に除去することが可能である。なお、ワイヤ巻取器は、手動でも電動でも良いが、蜂の巣が大型の場合は電動が好適である。
【発明の効果】
【００１３】
本発明の蜂の巣の除去装置によれば、蜂の巣に袋網が被せられ、蜂の巣の基部に刃部により切り込みが入れられ、切り込みを入れた部分にワイヤを食い込ませて絞り切るので、野外に設置された電力機器等に作られた蜂の巣を、地上から又は蜂の巣から離れて、蜂を取り逃がすことなく簡単かつ確実に除去することが可能である。したがって、点検日を替えることなく電力機器等の点検を確実に行うことが可能となる。
【図面の簡単な説明】
【００１４】
【図１】本発明の蜂の巣除去装置の概略斜視図である。
【図２】図１のＡ−Ａ概略断面図である
【図３】本発明の蜂の巣除去装置の使用例を説明する図であって、袋網を蜂の巣に被せて、刃部により基部に切り込みを入れている様子を示す。
【図４】本発明の蜂の巣除去装置の使用例を説明する図であって、基部に切り込みを入れた後に、ワイヤを引張動作している様子を示す。
【図５】本発明の蜂の巣除去装置の使用例を説明する図であって、蜂の巣を基部から切断した様子を示す。
【発明を実施するための形態】
【００１５】
以下、本発明の実施の形態について、図面を参照しながら詳述する。図１は、本発明の蜂の巣除去装置の概略斜視図である。袋網及び輪状部材（リング）を下方から見ている図である。図２は、図１のＡ−Ａ概略断面図である。蜂の巣の除去装置１０は、棒状部材１２と、棒状部材１２の先端部に設けられた輪状部材１６と、この輪状部材１６に設けられ輪の内側方向を向いている刃部１４と、輪状部材１６に装着される袋網１８と、袋網１８に挿通されるワイヤ２０を有する。
【００１６】
棒状部材１２は、地上から又は蜂の巣から離れて、蜂の巣を除去することができるように所定の長さを有しており、樹脂製で構成されている。木製であっても構わない。また、棒状部材１２の太さは、作業者が操作し易いように、適切な太さを有する。この棒状部材１２の先端部には、輪状部材（リング）１６が、棒状部材１２と所定の角度を為し、補助部材１２ａを介して取り付けられている。輪状部材１６は、略円形であり樹脂製で構成されている。金属製であっても構わない。その輪状部材１６の下側には、先端が輪の中心に向かう略Ｌ字形のフック部１６ａが複数設けられており、このフック部１６ａに袋網１８の開口縁部に挿通されたワイヤ２０が引き掛けられる。
【００１７】
袋網１８は、蜂が抜け出せない網目を有する網であり、樹脂製である。袋網１８の開口部の直径は、輪状部材１６の直径と略同一であり、開口縁部にワイヤ２０を挿通して、フック部１６ａに装着できるように構成されている。この構成は、例えば、開口縁部の網目に単にワイヤ２０を通しても良いし、開口縁部を折返して袋状にしてそこにワイヤ２０を通しても良い。
【００１８】
図１、２に示す様に、輪状部材１６の棒状部材１２側には、三日月状の刃部１４が設けられており、この刃部１４により蜂の巣の基部に容易に切り込みが入れられる。また、刃部１４の刃先は、前述のように輪状部材１６の輪の内側方向を向いており、かつ輪状部材１６の輪の面に対して平行である。また、袋網１８がフック部１６ａに装着された場合、刃部１４の刃先とフック部１６ａとは多少距離が設けられており、これにより刃部１４が袋網１８を破ることが防止される。また、袋網１８がワイヤ２０の引張動作により、フック部１６ａから離れて、その後ワイヤ２０を刃部１４により蜂の巣の基部に入れられた切り込みに円滑に食い込ませることが可能である。
【００１９】
ワイヤ２０は、上述したように袋網１８の開口縁部に挿通され、一端は棒状部材１２の先端部に設けられたワイヤ止め部２２に固定される。他端は、ワイヤガイド部３０を通して、棒状部材１２の後端部付近に取り付けられたワイヤ巻取機２４により巻き取られる構成になっている。袋網１８を輪状部材１６のフック部１６ａに装着した状態で蜂の巣の除去作業に入るが、この状態では、ワイヤ２０はワイヤ止め部２２とワイヤ巻取機２４の間で緊張した状態にある。後述するように、ワイヤ巻取機２４によりワイヤ２０を巻き取ると、ワイヤ２０がフック部１６ａから外れて係止状態が解除され、最終的には袋網１８は、開口部が絞まり閉じた状態で、ワイヤ止め部２２に係止される。
【００２０】
ワイヤ巻取機２４は、手動であり、ハンドル２４ａを手で回すことによりリールにワイヤ２０が巻き取られる構成になっている。蜂の巣が大型で、手動で蜂の巣を絞り切りことが難しい場合は、電動が好ましい。
【００２１】
図３は、本発明の蜂の巣の除去装置の使用例を説明する図であって、蜂の巣２６に袋網１８を被せた状態を示す。ただし、袋網１８の網目は省略して図示している。蜂の巣２０は、一例として野外に設置された電力機器２８の底部に作られており、この底部に輪状部材１６を当接している様子を示す。蜂の巣２６は、袋網１８に完全に入っている状態となる。なお、袋網１８は前述したように、開口縁部にワイヤ２０が挿通され、そのワイヤ２０がフック部１６ａに引き掛けられて係止される。なお、ワイヤが係止された状態では、袋網１８の開口部は全開している。
【００２２】
さらに、図３は、輪状部材１６に設けられた三日月状の刃部１４により、蜂の巣２６の基部２６ａに切り込みを入れている様子も示している。切り込みは、蜂の巣２６の基部２６ａの一部でも良いが全周に亘って入れることが望ましい。切り込みを入れる仕方は、輪状部材１６を電力機器２８の底部に当接したまま、棒状部材１６を把持し、刃部１４を蜂の巣２６の基部２６ａに食い込ませる仕方で行う。蜂の巣２６の基部２６ａの全周に刃部を入れるには、刃部１４を基部２６ａに食い込ませたまま棒状部材１２を把持しながら刃部１４を蜂の巣２６の周りに周回させれば良い。
【００２３】
図４は、本発明の蜂の巣除去装置の使用例であって、ワイヤ２０の引張動作を開始した様子を示す。ただし、袋網１８の網目は省略して図示している。袋網１８に挿通されたワイヤ２０がフック部１６ａから外れ係止状態が解除される様子が示されている。この場合、蜂が蜂の巣２６から出て来ても、袋網１８の開口部の直径が小さくなっており、かつ電力機器２８の底部と袋網１８の開口部との隙間はほとんど無いため、蜂が袋網１８から逃げ出すことはない。
【００２４】
ワイヤ２０をワイヤ巻取機２４により更に巻き取ると、ワイヤ２０が蜂の巣２６の基部２６ａの切り込みを入れた部分に食い込む。刃部１４とフック部１６ａとの距離を適切に設定しているため、フック部１６ａから外れたワイヤ２０は、円滑に蜂の巣２６の切り込みを入れた基部２６ａに食い込むことが可能になっている。ここで、更にワイヤ２０を巻き取ることにより蜂の巣２６は基部２６ａの切り込みを入れた部分で切断される。図４は、袋網１８に挿通されたワイヤ２０がフック部１６ａから完全に外れ、蜂の巣２６の基部２６ａの切り込みを入れた部分に食い込んでいる様子も示している。なお、図４では、蜂の巣２６は未だ切断されていない。また、この時点で蜂が蜂の巣２６から出て来ても、袋網１８の開口部は蜂の巣２６の基部２６ａに食い込んでいるので蜂は袋網１８の外へは出られない。
【００２５】
図５は、ワイヤ２０をワイヤ巻取機２４により巻き取り、ワイヤ２０により蜂の巣２６を基部２６ａの切り込みを入れた部分で切断した様子を示している。切断された蜂の巣２６は袋網１８に収納され、袋網１８の開口部は完全に閉じられている。蜂が切断された蜂の巣２６から暴れ出ても、袋網１８の開口部が閉じられているので蜂は逃げ出ることができない。
【００２６】
本発明の蜂の巣除去装置によれば、蜂の巣２６の基部２６ａに刃部１４により切り込みを入れ、切り込みを入れた部分に、ワイヤ２０を食い込ませて切断するので、電力機器２８等に作られた蜂の巣２６を、蜂を取り逃がすことなく簡単かつ確実に除去することが可能であり、その後の電力機器２８等の点検作業に迅速に入ることができる。
【００２７】
なお、本発明は上記の実施の形態に限定されるものではなく、本発明の趣旨を逸脱しない範囲で種々の変更が可能である。例えば、刃部１４は輪状部材１６の棒状部材１２側の１箇所に設けたが、複数カ所に設けても良い。また、ワイヤ巻取機２４は手動のものを例示したが電動のものであっても良い。
【符号の説明】
【００２８】
１０  蜂の巣除去装置
１２  棒状部材
１２ａ  補助部材
１４  刃部
１６  輪状部材
１６ａ  フック部
１８  袋網
２０  ワイヤ
２２  ワイヤ止め部
２４  ワイヤ巻取機
２４ａ  ハンドル
２６  蜂の巣
２８  電力機器
３０  ワイヤガイド部
【図１】
2012060926.tif 000003
【図２】
2012060926.tif 000004
【図３】
2012060926.tif 000005
【図４】
2012060926.tif 000006
【図５】
2012060926.tif 000007